(57)【要約】【課題】  時間を掛けずに複数の放送番組の内容を把握することができる情報処理装置を提供する。【解決手段】  予告映像データを提供するリソースの所在を示すＵＲＬを含む番組ガイドデータを受信する受信手段１９と、受信した前記番組ガイドデータから電子番組表を作成する番組表作成手段３０４と、作成した前記電子番組表を表示装置に表示させる表示手段１７と、受信した前記番組ガイドデータに含まれるＵＲＬにアクセスし、表示させた前記電子番組表で参照可能な放送番組の予告映像データを受信するネットワーク通信手段１１３と、受信する放送番組の予告映像データをデコードし、前記電子番組表上で予告映像を再生すると共に、予告映像の再生完了に伴って当該予告映像の前記電子番組表上の表示を終了する予告映像再生手段３０３と、前記表示装置に表示させた前記電子番組表で参照可能な放送番組の録画予約を設定する録画予約設定手段３０６とを備える【選択図】      図３
2009224897.tif 000002
【特許請求の範囲】
【請求項１】
放送番組の予告映像データを提供するインターネット上のリソースの所在を示すＵＲＬを含む、放送スケジュールを示す番組ガイドデータを受信する受信手段と、
前記受信手段で受信した前記番組ガイドデータから電子番組表を作成する番組表作成手段と、
前記番組作成手段で作成した前記電子番組表を表示装置に表示させる表示手段と、
前記受信手段で受信した前記番組ガイドデータに含まれるＵＲＬにアクセスし、前記表示手段により前記表示装置に表示させた前記電子番組表で参照可能な放送番組の予告映像データを受信するネットワーク通信手段と、
前記ネットワーク通信手段で受信する放送番組の予告映像データをデコードし、前記電子番組表上で予告映像を再生すると共に、予告映像の再生完了に伴って当該予告映像の前記電子番組表上の表示を終了する予告映像再生手段と、
前記表示手段により前記表示装置に表示させた前記電子番組表で参照可能な放送番組の録画予約を設定する録画予約設定手段と
を備えることを特徴とする情報処理装置。
【請求項２】
前記予告映像再生手段は、複数の予告映像データをデコードし、前記電子番組表上で各予告映像を並行して再生すること
を特徴とする請求項１記載の情報処理装置。
【請求項３】
操作入力を受ける入力手段を更に具備し、
前記ネットワーク通信手段は、前記入力手段からの予告映像を再生させるための操作入力に伴い、当該操作入力で指定された予告映像データを提供するインターネット上のリソースに予告映像データ送信要求を送信すること
を特徴とする請求項２記載の情報処理装置。
【請求項４】
前記ネットワーク通信手段は、前記表示手段による前記電子番組表の前記表示装置への表示後から所定時間の経過に伴い、前記予告映像再生手段でデコードされていない予告映像データを提供するインターネット上のリソースに予告映像データ送信要求を送信すること
を特徴とする請求項３記載の情報処理装置。
【請求項５】
前記ネットワーク通信手段は、前記予告映像再生手段による予告映像データのデコード完了後から所定時間の経過に伴い、当該予告映像データを提供するリソースに、再度、予告映像データ送信要求を送信すること
を特徴とする請求項４記載の情報処理装置。
【請求項６】
前記表示手段は、前記番組表作成手段で作成した前記電子番組表上に、各放送番組の予告映像を其々再生させるための再生開始アイコンを重ね合わせた表示画面を前記表示装置に表示させ、
前記ネットワーク通信手段は、外部制御装置による再生開始アイコンの指定操作に伴い、指定された再生開始アイコンに対応する予告映像データを提供するインターネット上のリソースに予告映像データ送信要求を送信すること
を特徴とする請求項５記載の情報処理装置。
【請求項７】
前記表示手段は、前記番組表作成手段で作成した前記電子番組表上に、各放送番組の録画予約を其々設定するための録画予約開始アイコンを重ね合わせた表示画面を前記表示装置に表示させ、
前記録画予約設定手段は、前記外部制御装置による録画予約開始アイコンの指定操作に伴い、指定された録画予約開始アイコンに対応する放送番組の録画予約を設定すること
を特徴とする請求項１記載の情報処理装置。
【請求項８】
前記ネットワーク通信手段で受信した予告映像データを格納する記録装置を更に具備し、
前記予告映像再生手段は、前記入力手段からの予告映像を再生させるための操作入力に伴い、当該操作入力で指定された予告映像データを前記記録装置から読み出してデコードし、前記電子番組表上で予告映像を再生すると共に、予告映像の再生完了に伴って当該予告映像の前記電子番組表上の表示を終了すること
を特徴とする請求項７記載の情報処理装置。
【請求項９】
前記予告映像再生手段は、前記表示手段による前記電子番組表の前記表示装置への表示後から所定時間の経過に伴い、前記予告映像再生手段でデコードされていない予告映像データを前記記録装置から読み出してデコードし、前記電子番組表上で予告映像を再生すると共に、予告映像の再生完了に伴って当該予告映像の前記電子番組表上の表示を終了すること
を特徴とする請求項８記載の情報処理装置。
【請求項１０】
前記予告映像再生手段は、前記予告映像再生手段による予告映像データのデコード完了後から所定時間の経過に伴い、当該予告映像データを前記記録装置から読み出してデコードし、前記電子番組表上で予告映像を再生すると共に、予告映像の再生完了に伴って当該予告映像の前記電子番組表上の表示を終了すること
を特徴とする請求項９記載の情報処理装置。
【発明の詳細な説明】
【技術分野】
【０００１】
本発明は、情報処理装置に関する。
【背景技術】
【０００２】
現在のテレビジョン放送形態には、地上波放送、衛星放送、専用回線を用いた有線放送（Ｃｏｍｍｕｎｉｔｙ  Ａｎｔｅｎｎａ  ＴｅｌｅＶｉｓｉｏｎ）などがあり、多数の放送番組の視聴が可能である。加えて、インターネットを利用したパーソナルコンピュータで動画コンテンツを視聴可能とするネットワーク配信システムなど、コンテンツ供給形態のさらなる多様化により、今後視聴可能なチャンネル数は増加の一途をたどると予想される。
【０００３】
このような視聴環境においては、視聴者の番組選択を支援するサービスが不可欠になる。これまでに視聴者の番組選択を支援するサービスとして、ＥＰＧ（Ｅｌｅｃｔｒｏｎｉｃ  Ｐｒｏｇｒａｍ  Ｇｕｉｄｅ）に代表される放送時間帯とチャンネルとで表現された番組表による番組選択サービスが提供されている。ＥＰＧで表示される番組情報は、文字情報をベースに構成されているため番組内容の直感的把握は難しい。
【０００４】
また、このような番組選択を支援するサービスには、インターネットから放送番組に関する予告映像等を受信し、視聴できるサービスがある。例えば特許文献１には、放送局等から受信した番組情報に含まれる所定アドレスに基づいて、インターネット上の所定のＷｅｂページにリンクすることで、予告情報の取得・再生ができる番組情報取得装置が開示されている。
【特許文献１】特開２００７−２９５０５３号公報
【発明の開示】
【発明が解決しようとする課題】
【０００５】
しかしながら、特許文献１に示す装置では、予告映像を再生・表示すると共に、番組表を表示することについて考慮されていない。
一般に、ＥＰＧ等の番組表では、同一の時間帯における各放送局の放送スケジュールを比較して閲覧することが出来る。しかし、特許文献１に示す装置では、特定の放送番組に関する予告映像が再生されると、表示画面が切り替わることで他局の放送スケジュールが参照できなくなる可能性がある。
【０００６】
そこで、本発明は、放送番組の予告映像を再生すると共に番組表を閲覧することができる情報処理装置を提供することを目的とする。
【課題を解決するための手段】
【０００７】
上記目的を達成するために、本発明の情報処理装置は、放送番組の予告映像データを提供するインターネット上のリソースの所在を示すＵＲＬを含む、放送スケジュールを示す番組ガイドデータを受信する受信手段と、前記受信手段で受信した前記番組ガイドデータから電子番組表を作成する番組表作成手段と、前記番組作成手段で作成した前記電子番組表を表示装置に表示させる表示手段と、前記受信手段で受信した前記番組ガイドデータに含まれるＵＲＬにアクセスし、前記表示手段により前記表示装置に表示させた前記電子番組表で参照可能な放送番組の予告映像データを受信するネットワーク通信手段と、前記ネットワーク通信手段で受信する放送番組の予告映像データをデコードし、前記電子番組表上で予告映像を再生すると共に、予告映像の再生完了に伴って当該予告映像の前記電子番組表上の表示を終了する予告映像再生手段と、前記表示手段により前記表示装置に表示させた前記電子番組表で参照可能な放送番組の録画予約を設定する録画予約設定手段とを備えることを特徴とする。
【発明の効果】
【０００８】
本発明によれば、放送番組の予告映像を再生すると共に番組表を閲覧することができる情報処理装置を提供することができる。
【発明を実施するための最良の形態】
【０００９】
以下、図面を参照して、本発明の実施形態を説明する。
まず、図１を参照して、本発明の一実施形態に係る情報処理装置の構成を説明する。本実施形態の情報処理装置は、例えば、放送局１からのテレビジョン放送を受信し、インターネット２に接続可能なノートブック型の携帯型パーソナルコンピュータ１０から実現されている。
【００１０】
このパーソナルコンピュータ１０は、放送局１から放送される放送番組を視聴するためのテレビジョン（ＴＶ）機能を有している。このＴＶ機能は、例えば、パーソナルコンピュータ１０に予めインストールされているＴＶアプリケーションプログラムによって実現されている。また、ＴＶ機能は、放送局１から送信された放送番組スケジュールを参照するための番組情報を受信し、この番組情報から電子番組表を作成する機能も有している。
【００１１】
また、本実施例の放送局１では、インターネット２上の各サーバ３に予告映像データをアップロードすると共に、パーソナルコンピュータ１０に当該サーバのＵＲＬ（Ｕｎｉｆｏｒｍ  Ｒｅｓｏｕｒｃｅ  Ｌｏｃａｔｏｒ）を含む番組情報を送信する。これにより、パーソナルコンピュータ１０は、放送局１から受信した番組情報に含まれるＵＲＬを参照し、インターネット２上の各サーバ３から予告映像データを取得することができる。
【００１２】
さらに、パーソナルコンピュータ１０は、表示画面に表示させた電子番組表上で各放送番組の予告映像を再生する予告映像再生機能を備える。この予告映像再生機能は、例えば、ＴＶ機能内にその一機能として実装されている。この予告映像表示機能は、例えば電子番組表内で複数の放送番組についての予告映像を其々同時に再生することが出来る。
【００１３】
次に、図２を参照し、本実施例のコンピュータ１０のシステム構成について説明する。
図２は、本コンピュータ１０のシステム構成について示した図である。本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、エンベデッドコントローラ／キーボードコントローラＩＣ（ＥＣ／ＫＢＣ）１１２、ネットワークコントローラ１１３、及びＴＶチューナ１１４等を備えている。
【００１４】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）２０１、およびＴＶアプリケーションプログラム２０２のような各種アプリケーションプログラムを実行する。
【００１５】
ＴＶアプリケーションプログラム２０１はＴＶ機能を実行するためのソフトウェアである。このＴＶアプリケーションプログラム２０１は、ＴＶチューナ１１４によって受信された放送番組データを視聴するためのライブ再生処理、番組情報から電子番組表を作成する番組表作成処理、番組情報に含まれるＵＲＬを参照して放送番組の予告映像データを取得する予告映像データ取得処理、予告映像データをデコードするデコード処理、及び放送番組の録画予約設定処理等を実行する。
【００１６】
また、ＴＶアプリケーションプログラム２０１は、番組表作成処理で作成した電子番組表上に複数の予告映像を再生させてＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）１７に表示させる処理も実行する。この処理については、図４を参照して後述する。
【００１７】
また、ＣＰＵ１０１は、ＢＩＯＳ−ＲＯＭ１０９に格納されたＢＩＯＳ（Ｂａｓｉｃ  Ｉｎｐｕｔ  Ｏｕｔｐｕｔ  Ｓｙｓｔｅｍ）も実行する。ＢＩＯＳはハードウェア制御のためのプログラムである。
【００１８】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、ＰＣＩ  ＥＸＰＲＥＳＳ規格のシリアルバスなどを介してＧＰＵ１０５との通信を実行する機能も有している。
【００１９】
ＧＰＵ１０５は、本コンピュータ１０のディスプレイモニタとして使用されるＬＣＤ１７を制御する表示コントローラである。このＧＰＵ１０５によって生成される表示信号はＬＣＤ１７に送られる。
【００２０】
サウスブリッジ１０４は、ＬＰＣ（Ｌｏｗ  Ｐｉｎ  Ｃｏｕｎｔ）バス上の各デバイス、およびＰＣＩ（Ｐｅｒｉｐｈｅｒａｌ  Ｃｏｍｐｏｎｅｎｔ  Ｉｎｔｅｒｃｏｎｎｅｃｔ）バス上の各デバイスを制御する。また、サウスブリッジ１０４は、ハードディスクドライブ（ＨＤＤ）１１１およびＤＶＤドライブ１１２を制御するためのＩＤＥ（Ｉｎｔｅｇｒａｔｅｄ  Ｄｒｉｖｅ  Ｅｌｅｃｔｒｏｎｉｃｓ）コントローラを内蔵している。さらに、サウスブリッジ１０４は、サウンドコントローラ１０６との通信を実行する機能も有している。
【００２１】
サウンドコントローラ１０６は音源デバイスであり、再生対象のオーディオデータをスピーカ１８に出力する。
エンベデッドコントローラ／キーボードコントローラＩＣ（ＥＣ／ＫＢＣ）１１２は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１２は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１２は、リモコンユニットインタフェース２０との通信を実行する機能を有している。
【００２２】
ネットワークコントローラ１１３は、有線または無線のネットワークとの通信を実行する。このネットワークコントローラ１１３は、外部のルータ等を介してインターネット２との通信を実行する通信部として機能とする。
【００２３】
ＴＶチューナ１１４はテレビジョン（ＴＶ）放送信号によって放送される放送番組データを受信する受信装置であり、アンテナ１９に接続されている。このＴＶチューナ１１５は、例えば、地上波デジタルＴＶ放送のようなデジタル放送番組データを受信可能なデジタルＴＶチューナとして実現されている。
【００２４】
次に、図３を参照して、ＴＶアプリケーションプログラム２０１の機能構成を説明する。
ＴＶアプリケーションプログラム２０１は、番組情報取得部３０１、データベース３０２、予告映像再生部３０３、番組表作成部３０４、ユーザインタフェース部（ＵＩ）３０５、録画予約設定部３０６、および録画実行部３０７等を備えている。
【００２５】
番組情報取得部３０１は、アンテナ１９を介して各放送局から放送番組データを取得して予告映像再生部３０３に出力する。また、番組情報取得部３０１は、各放送局等から番組情報を取得し、データベース３０２に格納する。さらに番組情報取得部３０１は、取得した番組情報に含まれるＵＲＬを参照し、ネットワークコントローラ１１３を介してインターネット２から予告映像データをストリーミングで受信し、予告映像再生部３０３に出力する。
【００２６】
予告映像再生部３０３は、ＴＶチューナ１１４によって選局された所定チャンネルのテレビジョン放送信号によって搬送される放送番組データに含まれる映像データをデコードし、得られる映像をＬＣＤ１７等の表示装置に表示する。このデコード処理では、放送番組データに含まれる音声データを再生する処理も実行される。また、予告映像再生部３０３は、番組情報取得部３０１から出力された予告映像データをストリーミングでデコードする。また、予告映像再生部３０３は、予告映像の再生完了に伴い、当該予告映像の電子番組表上における表示を終了する。
【００２７】
尚、本実施例の予告映像再生部３０３では、例えば同時に再生する予告映像データ数に応じた複数のデコーダを備え、複数の予告映像データを同時にデコードできる構成を有するが、これに限らず、複数の予告映像データを同時にデコードできればよい。
【００２８】
番組表作成部３０４は、ユーザインタフェース部３０５を介して受ける番組表表示要求に応じて、データベース３０２に格納された番組情報から電子番組表を作成し、ＬＣＤ１７に出力する。また、番組表作成部３０４は、電子番組表上に録画予約の設定を開始するための録画予約アイコンや、予告映像を再生させるための予告再生アイコンを表示させる。
【００２９】
ユーザインタフェース部３０５は、キーボードやリモートコントローラ２１等から番組表表示要求、各種アイコンの指定操作等の操作入力を受付け、ＴＶアプリケーションプログラム２０１内の各処理部に、各操作入力に対応する処理を実行させるコマンドを出力する。
【００３０】
録画予約設定部３０６は、例えば、ユーザインタフェース部３０５から受ける録画予約設定をするためのコマンドに応じて、指定された放送番組の録画予約の設定を行う。録画実行部３０７は、録画予約設定部３０６で録画予約を設定した放送番組の録画を実行する。
【００３１】
次に、図４を参照して、本実施例における番組情報の管理方法について説明する。図４は、データベース３０２に格納・管理する番組情報を示す。
図４に示すように、本実施例では、例えば番組情報所得部３０４により取得したＥＰＧ等の番組情報をテーブル形式で管理する。
本実施例では、放送局１やインターネット２から取得した番組情報を放送日時、放送局、タイトル、内容、および予告映像データのＵＲＬなどに分けて管理し、参照できるようになっている。
【００３２】
放送日時の欄には、各放送局が放送する放送番組の受信可能な日にち、時間帯が書き込まれる。放送局の欄には、各放送番組を視聴できる放送局、および当該放送局のチャンネルが書き込まれる。タイトルの欄には、ＥＰＧなどで示される放送番組のタイトルが書き込まれる。内容の欄には、放送番組の紹介・概要、出演者などの情報が書き込まれる。予告映像データのＵＲＬの欄には、予告映像データを提供するインターネット２上の各サーバ３のＵＲＬが書き込まれる。
【００３３】
本実施例では、図４に示すテーブルを参照し、電子番組表の作成処理や各放送番組における予告映像データのＵＲＬ抽出処理を行う。このように、本実施例では、取得した番組情報をデータベース３０２にテーブル形式で管理することで番組情報の参照・抽出を実現する。
【００３４】
次に、図５乃至図８を参照し、本実施例で作成される電子番組表について説明する。図５は、ＬＣＤ１７に初めに表示される電子番組表の一例を示し、図６は、予告映像を再生した状態における電子番組表の一例を示す。図７は、予告映像が再生された状態と予告映像が再生されていない状態の例を示す。図８は、予告映像の表示が開始される様子と予告映像の表示が終了される様子を示す。尚ここでは、例えば２００８年の２月２８日の午前９時から午後１時までの時間帯における６局の番組情報を読み出し、電子番組表を作成した例を示す。
【００３５】
図５に示すように、本実施例では、放送局１から受信した番組情報にＵＲＬが含まれる場合、当該ＵＲＬへのリンクを開始して予告映像を再生するための予告再生アイコンを放送番組のタイトルの下等の電子番組表上に表示する。
【００３６】
尚、ここでは現在ＬＣＤ１７に表示されている電子番組表の中でＵＲＬが含まれる放送番組、即ち予告映像がサーバにアップロードされている放送番組が８番組ある場合を想定する。図５に示すように、これらの放送番組のタイトルの下には其々に対応する予告再生アイコン５ａ〜５ｈが表示されている。
【００３７】
本実施例では、例えばリモートコントローラ２１等から各予告再生アイコン５ａ〜５ｈの指定入力を受けた場合、指定された予告再生アイコンに対応する予告映像が電子番組表上（ここでは、各放送番組のタイトルが示されるエリア等）で再生される。
【００３８】
そして図６では、予告再生アイコン５ｂ、５ｃ、５ｅ、５ｆの指定入力をうけ、各予告再生アイコンに対応する予告映像７ｂ、７ｃ、７ｅ、７ｆが再生されている様子を示す。
【００３９】
このように本実施例では、複数の予告映像を再生しながら放送番組を閲覧することが出来る。よってユーザは告映像を再生しながら同一の時間帯で放送される各局の放送番組を比較して閲覧することができる。
【００４０】
図７に示すように、本実施例では、予告映像の再生が始まると電子番組表上の放送番組の文字情報が当該予告映像に覆われて参照できなくなるが、再生完了に伴ってこの予告映像を消去するため、再生完了後に予告映像がオーバーラップしていたエリアの文字情報を閲覧することができる。
【００４１】
尚、本実施例では、予告映像の再生を開始する際、例えば図８の（ａ）〜（ｃ）に示すように、電子番組表における各放送局の放送スケジュールを示す列の左端から予告映像の表示が始まる。そして、放送スケジュールを示す列の右端に向かって徐々に予告映像の横幅が広がり、この予告映像の右端が列の右端に至るタイミングに伴い、再生が開始される。
【００４２】
また、本実施例では、予告映像の再生を終了する際、例えば図８の（ｄ）〜（ｆ）に示すように、放送スケジュールを示す列の右端に向かって予告映像の横幅が徐々に狭まり始め、そして、当該予告映像の左端が列の右端に至るタイミングに伴って予告映像の電子番組表上における表示が終了する。
【００４３】
また、本実施例では、電子番組表の表示後から所定時間の経過に伴い、これまで再生されていなかった予告映像の再生を開始する。例えば、図５では、電子番組表の表示後から所定時間が経過するまでの間に、予告再生アイコン５ａ、５ｄ、５ｇ、５ｈに其々対応する放送番組の予告映像が再生されなければ、ユーザからの操作入力がなくてもこれらの予告映像が再生される。このように本実施例では、予告映像を再生するための操作入力を行わなくても、全ての予告映像を視聴できる。
【００４４】
また、本実施例では、各予告映像の再生完了後から所定時間の経過に伴い、再度、これらの予告映像の再生を開始する。例えば、図６では、予告映像７ｂ、７ｃ、７ｅ、７ｆの再生が完了してから所定時間が経過すると、再び、これらの予告映像が再生される。このように本実施例では、予告映像を再生するための操作入力を行わなくても、予告映像を繰り返して視聴することができる。つまり、本実施例では、電子番組表上で表示される文字情報と映像情報を交互に見ることが出来る。
【００４５】
また、本実施例では、電子番組表上に各放送番組の録画予約を設定するための録画予約アイコン６ａ〜６ｙを表示する。本実施例では、例えばリモートコントローラ２１等から各録画予約アイコン６ａ〜６ｙの指定入力を受けた場合、指定された録画予約アイコンに対応する放送番組の予約録画設定を実行できる。
【００４６】
次に、図９を参照し、本実施例で作成される電子番組表の作成手順について説明する。図９は、電子番組表を作成するまでのフローチャートを示す。本実施例では、例えばリモートコントローラ２１等から番組表表示要求を受けて電子番組表の作成処理を開始する。
【００４７】
番組表表示要求を受けると、コンピュータ１０のＣＰＵ１０１は、データベース３０２に格納された番組情報を読み出し（Ｓ１０１）、電子番組表を作成する。
次に、ＣＰＵ１０１は、読み出した放送番組の番組情報にＵＲＬが含まれるか否か、即ち当該放送番組に予告映像があるか否か確認する（Ｓ１０２）。読み出した放送番組の番組情報にＵＲＬが含まれる場合、即ち当該放送番組に予告映像がある場合（Ｓ１０２のＹｅｓ）、ＣＰＵ１０１は、これらの放送番組の予告映像を再生させるための予告再生アイコン５ａ〜５ｄを生成する（Ｓ１０３）。また、Ｓ１０２で読み出した放送番組の番組情報にＵＲＬが含まれない場合、即ち当該放送番組に予告映像がない場合（Ｓ１０２のＮｏ）、ＣＰＵ１０１は処理をＳ１０４に移す。
【００４８】
次に、ＣＰＵ１０１は、各放送番組の録画予約を設定するための録画予約アイコンを生成する（Ｓ１０４）。そして、ＣＰＵ１０１はＳ１０３で生成した予告再生アイコン、及びＳ１０４で生成した予告再生アイコンを、電子番組表上の所定エリアに其々表示する（Ｓ１０５）。
【００４９】
電子番組表がＬＣＤ１７に表示されると、ＣＰＵ１０１は、各アイコンの指定操作入力を受けたか否か確認する（Ｓ１０６）。ここで指定操作入力を受けた場合（Ｓ１０６のＮｏ）、ＣＰＵ１０１は、指定操作入力を受けたアイコンが予告再生アイコンであるか或いは録画予約アイコンであるか確認する（Ｓ１０７）。
【００５０】
Ｓ１０７で指定操作入力を受けたアイコンが予告再生アイコンである場合（Ｓ１０７Ｙｅｓ）、ＣＰＵ１０１は、当該予告再生アイコンに対応する放送番組の予告映像データを提供するサーバにアクセスし、予告映像データ送信要求を出す（Ｓ１０８）。そして、ＣＰＵ１０１では、予告映像データ送信要求に応じてインターネット２上のサーバからストリームで送信された予告映像データを受信し、デコードする（Ｓ１０９）。次にＣＰＵ１０１は、再生完了に伴って、予告映像の電子番組表上での表示を終了する（Ｓ１１０）。
【００５１】
また、本実施例では、ユーザからの操作入力がなくても電子番組表の表示開始から所定時間の経過に伴って予告映像を再生する。Ｓ１０６でアイコンの指定操作入力を受けない場合（Ｓ１０６のＮｏ）、ＣＰＵ１０１は、電子番組表の表示開始からデコード処理を行っていない予告映像データにおいて電子番組表の表示開始から所定時間が経過したか否か、または過去にデコード処理を行っている予告映像データにおいて前のデコード完了から所定時間が経過したか否か確認する（Ｓ１１１）。所定時間が経過していない場合（Ｓ１１１のＮｏ）、ＣＰＵ１０１は処理をＳ１０６に戻す。所定時間が経過した場合（Ｓ１１１のＹｅｓ）、ＣＰＵ１０１は処理をＳ１０８に移す。
【００５２】
また、本実施例のＣＰＵ１０１は、予告映像データのデコードが完了と共に、時間計測を開始する。そして、所定時間が経過すると、再度サーバに予告映像データ送信要求を送信する。このように、本実施例の電子番組表上では定期的に各放送番組の予告映像が再生される。
【００５３】
Ｓ１０７で指定操作入力を受けたアイコンが録画予約アイコンである場合（Ｓ１０７Ｙｅｓ）、ＣＰＵ１０１は、当該録画予約アイコンに対応する放送番組の録画予約の設定を開始する（Ｓ１１２）。
【００５４】
次に、ＣＰＵ１０１は、番組表表示の終了要求を受けたか否か確認する（Ｓ１１３）。番組表表示の終了要求を受けていない場合（Ｓ１１３のＮｏ）、ＣＰＵ１０１は処理をＳ１０６に戻し、番組表表示の終了要求を受けた場合（Ｓ１１３のＹｅｓ）、ＣＰＵ１０１は処理を終了する。
【００５５】
また、図３乃至図９を参照しながら説明した実施形態では、予告映像の再生処理を行うごとにインターネット２上の各サーバ３から予告映像データのダウンロードを実行するが、これに限らず、ダウンロードした予告映像データをＨＤＤ１１１等の記録装置に格納しても良い。この場合、予告映像データ送信要求の送信等の処理を行うことなく予告映像を再生できる。
【００５６】
この実施形態では、例えば、図９のＳ１０１〜Ｓ１０５の処理を行う間に、予め、各予告映像データをダウンロードして記録装置に格納する処理を行う。その後、予告再生アイコンの指定入力に伴い、格納された予告映像データを読み出し再生する。このように予告映像データをＨＤＤ１１１等の記録装置に格納する実施形態では、Ｓ１０８の予告映像データ送信要求の送信処理を行わずに予告映像の再生を実現する。
【００５７】
上述した通り、本実施例によれば、複数の放送番組についての予告映像を同時に再生・表示させること出来る。これにより、各局の放送スケジュールを比較しながら、電子番組表で参照する放送番組の内容を容易に把握できる。
【００５８】
また、本実施例では、電子番組表上の各所定エリアで複数の予告映像を再生できるため、時間を掛けずに複数の放送番組の内容を把握することを実現する。
また、本実施例では、予告映像を再生させるための操作入力をうけると、インターネット上のサーバから予告映像データをストリーミングで受信し、デコードする機能を有する。そのため、本実施例の情報処理装置では取得した予告映像データを格納する必要がなく、著作権を保護したシステムを構成できる。
【００５９】
また、本実施例では、電子番組表上に予告映像を再生させるためのアイコンおよび録画予約を設定するためのアイコンを備えるため、予告映像の再生操作や録画予約操作を簡単に行うことができる。
【００６０】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００６１】
【図１】本発明の一実施形態に情報処理装置の概観の例を示す斜視図
【図２】本実施例における情報処理装置のシステム構成の例を示すブロック図
【図３】本実施例における情報処理装置で用いられるプログラムの機能構成を示すブロック図
【図４】本実施例におけるデータベースに格納・管理する番組情報を示す図
【図５】本実施例における電子番組表の一例を示す図
【図６】本実施例における予告映像が再生された状態の電子番組表の一例を示す図
【図７】本実施例における予告映像が再生された状態と予告映像が再生されていない状態の例を示す図
【図８】本実施例における予告映像の表示が開始される状態と予告映像の表示が終了される状態例を示す図
【図９】本実施例における電子番組表を作成するまでのフローチャート。
【符号の説明】
【００６２】
１０・・・コンピュータ
１３…キーボード
１４…パワーボタン
１６…タッチパッド
１７…ＬＣＤ
１８Ａ，１８Ｂ…スピーカ
２０…リモコンユニットインタフェース
２１…リモコン
１０１…ＣＰＵ
１０２…ノースブリッジ
１０３…主メモリ
１０４…サウスブリッジ
１０５…グラフィクスプロセッシングユニット（ＧＰＵ）
１０５Ａ…ビデオメモリ（ＶＲＡＭ）
１０６…サウンドコントローラ
１０９…ＢＩＯＳ−ＲＯＭ
１１０…ＬＡＮコントローラ
１１１…ハードディスクドライブ（ＨＤＤ）
１１２…エンベデッドコントローラ／キーボードコントローラＩＣ（ＥＣ／ＫＢＣ）
１１３…ネットワークコントローラ
１１４…ＴＶチューナ
２０１…ＴＶアプリケーションプログラム
【図１】
2009224897.tif 000003
【図２】
2009224897.tif 000004
【図３】
2009224897.tif 000005
【図４】
2009224897.tif 000006
【図５】
2009224897.tif 000007
【図６】
2009224897.tif 000008
【図７】
2009224897.tif 000009
【図８】
2009224897.tif 000010
【図９】
2009224897.tif 000011